(57)【特許請求の範囲】
【請求項１】
印刷レイアウトを表示するレイアウト表示領域が設定された表示部と、
前記レイアウト表示領域に印刷レイアウトを表示させるレイアウト表示手段と、
入力された未確定文字列に基づいて、前記レイアウト表示領域に予測変換候補を表示させる予測変換候補表示手段と、
前記予測変換候補の未確定状態における、ユーザーによる表示切替キーの操作に基づいて、前記予測変換候補を確定せずに、未確定文字列の入力により前記レイアウト表示領域に表示された前記予測変換候補から、前記印刷レイアウトに表示切替えする表示切替手段と、
を備えたことを特徴とする文字入力装置。
【請求項２】
前記表示切替手段は、前記予測変換候補の表示を取り消すことにより、前記印刷レイアウトの表示に切り替えることを特徴とする請求項１に記載の文字入力装置。
【請求項３】
未確定文字列の確定をトリガとして、確定後の確定文字列に繋がり得る文字列候補を、繋がり予測候補として前記レイアウト表示領域に表示する繋がり予測候補表示手段を、更に備えたことを特徴とする請求項１または２に記載の文字入力装置。
【請求項４】
前記表示切替手段は、前記レイアウト表示領域に表示された前記繋がり予測候補から、前記印刷レイアウトに切替え表示可能に構成されていることを特徴とする請求項３に記載の文字入力装置。
【請求項５】
請求項１ないし４のいずれかに記載の文字入力装置と、
前記文字入力装置により生成された入力データに基づいて、印刷テープに印刷を行う印刷手段と、
を備えたことを特徴とするテープ印刷装置。
【発明の詳細な説明】
【技術分野】
【０００１】
本発明は、予測変換候補を表示する文字入力装置およびテープ印刷装置に関するものである。
【背景技術】
【０００２】
従来、この種の文字入力装置として、予測変換機能を備えた仮名漢字予測変換装置が知られている（特許文献１参照）。この仮名漢字予測変換装置は、表示装置（表示部）を有しており、表示装置上には、入力した文字列に対応して予測変換候補が表示される。
【特許文献１】特開２００６−６５５３２号公報
【発明の開示】
【発明が解決しようとする課題】
【０００３】
ところで、テープ印刷装置等の小型の印刷装置に設けられたディスプレイ（表示部）は、設計上小さなものとなっている。このとき、ディスプレイ上には、編集を容易に行なうべく、印刷レイアウトを表示するレイアウト表示領域および入力・編集を行う入力・編集領域が設定されている。
例えば、この小型の印刷装置に、上記の文字入力装置を適用した場合、予測変換候補を表示する領域を新たに設けることが困難であるため、レイアウト表示領域に予測変換候補を表示することが考えられる。
しかしながら、レイアウト表示領域に予測変換候補を表示してしまうと、印刷レイアウトの表示を確認することができない。このとき、印刷レイアウトを確認する場合は、例えば、一旦、入力された未確定文字列を全て消去しなければならず、ユーザーによる操作が煩雑なものとなってしてしまう問題が想定される。
【０００４】
本発明は、簡単な操作で、予測変換候補の表示から印刷レイアウトの表示へ表示切替をすることができる文字入力装置およびテープ印刷装置を提供することを課題とする。
【課題を解決するための手段】
【０００５】
本発明の文字入力装置は、印刷レイアウトを表示するレイアウト表示領域が設定された表示部と、レイアウト表示領域に印刷レイアウトを表示させるレイアウト表示手段と、入力された未確定文字列に基づいて、レイアウト表示領域に予測変換候補を表示させる予測変換候補表示手段と、予測変換候補の未確定状態における、ユーザーによる表示切替キーの操作に基づいて、予測変換候補を確定せずに、未確定文字列の入力によりレイアウト表示領域に表示された予測変換候補から、印刷レイアウトに表示切替えする表示切替手段と、を備えたことを特徴とする。
【０００６】
この構成によれば、レイアウト表示領域に印刷レイアウトを表示させることができると共に、未確定文字列の入力により、レイアウト表示領域に予測変換候補を表示させることができる。また、表示切替手段により、予測変換候補の表示から、印刷レイアウトの表示に切り替えることができるため、未確定文字列の入力中において、印刷レイアウトの表示を確認することができる。これにより、簡単な操作で表示切替を行うことができるため、ユーザーに、煩雑な操作を強いることが無い。なお、レイアウト表示領域には、文字未入力の状態において、白紙の印刷レイアウトを表示すると共に、確定文字列の入力状態において、任意の文字列の印刷レイアウトを表示する。
【０００７】
この場合、表示切替手段は、予測変換候補の表示を取り消すことにより、印刷レイアウトの表示に切り替えることを特徴とすることが、好ましい。
【０００８】
この構成によれば、予測変換候補の表示を取り消すことで、予測変換候補表示手段による表示処理を行なう必要が無いため、装置に加わる負担を軽減することができる。
【０００９】
この場合、未確定文字列の確定をトリガとして、確定後の確定文字列に繋がり得る文字列候補を、繋がり予測候補としてレイアウト表示領域に表示する繋がり予測候補表示手段を、更に備えたことを特徴とすることが、好ましい。
【００１０】
この構成によれば、確定後の確定文字列に繋がり得る文字列候補をレイアウト表示領域に繋がり予測候補として表示させることができるため、文章作成等における文字入力作業を容易に行うことができる。
【００１１】
この場合、表示切替手段は、レイアウト表示領域に表示された繋がり予測候補から、印刷レイアウトに切替え表示可能に構成されていることを特徴とすることが、好ましい。
【００１２】
この構成によれば、表示切替手段により、繋がり予測候補の表示印刷レイアウトの表示から、印刷レイアウトの表示に切り替えることができるため、印刷レイアウトの表示を確認することができる。これにより、簡単な操作で表示切替を行うことができるため、ユーザーに、煩雑な操作を強いることが無い。
【００１３】
本発明のテープ印刷装置は、上記の文字入力装置と、文字入力装置により生成された入力データに基づいて、印刷テープに印刷を行う印刷手段と、を備えたことを特徴とする。
【００１４】
この構成によれば、表示切替手段により、予測変換候補の表示から印刷レイアウトの表示に切り替えることができるため、簡単な操作で、印刷レイアウトの表示を確認することができる。
【発明を実施するための最良の形態】
【００１５】
以下、添付の図面を参照して、本実施形態に係る文字入力装置を適用したテープ印刷装置について説明する。このテープ印刷装置は、入力された未確定文字列に基づいて、ディスプレイ（表示部）上に複数の予測変換候補を表示すると共に、１の予測変換候補を選択して確定した確定文字列に基づいて、ディスプレイ上に印刷レイアウトを表示し、この印刷レイアウトに倣ってラベルを作成するものである。
【００１６】
図１及び図２に示すように、テープ印刷装置１は、処理テープ（印刷テープ）Ｔに対して印刷処理を行う装置本体１１と、処理テープＴおよびインクリボンＲを収容し、装置本体１１に着脱自在に装着されるテープカートリッジＣとを備えている。
【００１７】
装置本体１１は、装置ケース１２により外殻が形成され、装置ケース１２の前半部上面には、文字等を入力するための複数の文字入力キー１３と、各種選択および確定処理等を行うための複数の機能キー１５と、を備えたキーボード１７が配設されている。ここで、機能キー１５には、ディスプレイ２４に表示される選択肢を選択する上下（左右）キー１５ｂ、処理テープＴのテープ幅、テープ長および余白領域並びに文字等の書式等を設定する各種設定キー１５ａ、入力した未確定文字列８２を確定文字列８３として確定する確定キー１５ｃ、入力編集中の文字等を削除する削除キー１５ｄ、ラベル作成処理を実行するための印刷キー１５ｅ、表示画面を切替えるための表示切替キー（詳細は後述）１５ｆ等が含まれる。
【００１８】
装置ケース１２の後半部上面には、開閉蓋２１が広く設けられ、開閉蓋２１の上面には、テープカートリッジＣの装着／非装着を視認するための覗き窓２２が形成されていると共に、開閉蓋２１の前側にはこれを開放する蓋体開放ボタン２３が設けられている。また、後半部右上面には、キーボード１７からの入力結果等を表示するディスプレイ２４が形成されている。
【００１９】
図３に示すように、ディスプレイ２４は横長の表示画面を有しており、ディスプレイ２４上には、デフォルト画面（初期画面）として、入力・編集画面が表示されている。入力・編集画面は、下部に設定されると共に入力編集を行うための入力編集領域２４ａと、上部に設定されると共に印刷レイアウトを逐一表示するレイアウト表示領域２４ｂと、を備えている。なお、印刷レイアウトは、文字未入力の状態においては、白紙のレイアウトを表示すると共に、入力した確定文字列８３に基づいて、任意の文字列のレイアウトを表示する。
【００２０】
入力編集領域２４ａには、キーボード１７から入力された文字列が横書きに表示され、文字列が複数行に亘る場合には、行毎に上下に並べて表示される。入力編集領域２４ａに入力された文字列が未確定文字列８２である場合、文字列を陽ドットとして白黒反転表示される（図５（ｂ）参照）一方、未確定文字列８２が確定キーにより確定文字列８３となった場合、文字列を陰ドットとして通常表示される（図５（ｅ）参照）。また、入力編集領域２４ａには、各文字列が何行目に位置するかを表示した行頭マーク８０と、編集入力位置を指標するカーソル８１とが表示される。
【００２１】
ディスプレイ２４のレイアウト表示領域２４ｂの左側には、検出したテープ幅と作成されるテープ長とが小さく数値表示されると共に、その数値表示の右側には、印刷レイアウトが大きく表示される。これにより、作成されるラベルの大きさ、配置バランスおよび余白領域等を印刷処理前に確認できるようになっている。
【００２２】
具体的に説明すると、図３に示すディスプレイ２４のレイアウト表示領域２４ｂには、テープ幅（１８ｍｍ）およびテープ長（６ｃｍ）に対して、入力した確定文字列８３（「青色の」）の印刷レイアウトが、テープを陰ドットとして文字を陽ドットとして白黒反転表示されている。また、ディスプレイ２４のレイアウト表示領域２４ｂには、印刷レイアウトの表示に代えて入力された未確定文字列８２から予測される複数の予測変換候補が表示されると共に、確定後の確定文字列８３に繋がり得ると予測される繋がり予測候補８４が表示されるようになっている（詳細は後述）。なお、ディスプレイ２４には、上記表示内容に加え、設定キー１５ａ等の操作より、各種設定メニュー等も表示される。ここで、上記した表示切替キー１５ｆは、入力された未確定文字列８２に基づいて、レイアウト表示領域２４ｂに表示された複数の予測変換候補８５と、印刷レイアウトとを表示切替するものである。
【００２３】
開閉蓋２１の内部には、テープカートリッジＣが装着されるカートリッジ装着部３１が窪入形成されており、カートリッジ装着部３１には、テープカートリッジＣから繰り出される処理テープＴに印刷処理を行う印刷ヘッド４１が配設されている（図２参照）。
【００２４】
装置ケース１２の左側部には、カートリッジ装着部３１と装置外部とを連通するテープ排出口３２が形成され、このテープ排出口３２に臨んで装置ケース１２には、処理テープＴを切断するためのカッタユニット３３が内蔵されている。また、図１および図２では省略したが、装置ケース１２の内部には、装置本体１１を統括制御する制御部６０を構成する回路基板が搭載されている。
【００２５】
カートリッジ装着部３１には、発熱素子を有しヘッドカバー４０に覆われた印刷ヘッド４１と、後述するテープリール５１の位置決めをする位置決め突起４２と、テープカートリッジＣの処理テープＴおよびインクリボンＲを送り、印刷ヘッド４１に対峙するプラテン駆動軸４３およびインクリボンＲを巻き取る巻取り駆動軸４４とが突設されている。また、カートリッジ装着部３１には、カートリッジケース９５の裏面に形成された複数の被検出孔に対応してテープ識別センサ２６（図４参照）が設けられている。また、カートリッジ装着部３１には、プラテン駆動軸４３および巻取り駆動軸４４を駆動する印刷送りモータ４６（図４参照）や減速ギヤ列等（図示省略）が内蔵されている。
【００２６】
テープカートリッジＣは、カートリッジケース９５の内部に、処理テープＴを巻回したテープリール５１と、右下部にインクリボンＲを巻回したリボン繰出しリール５２およびリボン巻取りリール５３とを収容して構成されている。また、テープリール５１の左下部には、印刷ヘッド４１を覆うヘッドカバー４０に差し込むための貫通開口５４が形成されている。さらに、処理テープＴとインクリボンＲとが重なる部分に対応し、上記プラテン駆動軸４３に嵌合して回転運動するプラテンローラ５５が配置されている。
【００２７】
テープカートリッジＣをカートリッジ装着部３１に装着すると、ヘッドカバー４０に貫通開口５４が、位置決め突起４２にテープリール５１が、巻取り駆動軸４４にリボン巻取りリール５３が、プラテン駆動軸４３にプラテンローラ５５が、それぞれ差し込まれ、この状態で開閉蓋２１を閉蓋すると、これに連動して、印刷ヘッド４１が、処理テープおよびインクリボンＲを挟み込んでプラテンローラ５５に当接し、印刷待機状態となる。入力編集により印刷データが生成されると、生成された印刷データに基づき、プラテン駆動軸４３および巻取り駆動軸４４が同期回転して、処理テープＴおよびインクリボンＲを送りながら、印刷ヘッド４１により印刷処理が行われる。これと共に、リボン繰出しリール５２から繰り出されたインクリボンＲは、貫通開口５４の開口壁を周回してリボン巻取りリール５３に巻き取られる。印刷処理後の処理テープＴは、印刷済み部分がフルカッタ３４により切断され、切断された処理テープＴがラベルとしてテープ排出口３２から外部に排出される。
【００２８】
処理テープＴは、テープ種別（テープ幅、テープ色、インクリボン色、テープ材質など）が異なる複数種のものが用意されており、裏面に粘着材層が塗着された記録テープＴ１と、この粘着剤層により記録テープＴ１に貼付された剥離テープＴ２とから構成されている。カートリッジケース９５の裏面には、小さな複数の被検出孔（図示省略）が形成され、上記のテープ識別センサ２６によってこの複数の被検出孔が検出されることにより、処理テープＴの種別を識別できるようになっている。
【００２９】
次に、図４を参照し、テープ印刷装置１の制御系について説明する。テープ印刷装置１は、操作部６１と、検出部６２と、印刷部６３と、切断部６４と、駆動部６５と、これら各部に接続して、テープ印刷装置１全体を制御する制御部６０と、を有している。
【００３０】
操作部６１は、キーボード１７上の文字入力キー１３、機能キー１５等からのデータ入力や、印刷データ等のディスプレイ２４への表示等、ユーザインターフェースとして機能する。検出部６２は、テープ識別センサ２６を有し、処理テープＴ（テープカートリッジＣ）の種別を検出する。印刷部６３は、テープカートリッジＣ、印刷ヘッド４１および印刷送りモータ４６を有し、処理テープＴおよびインクリボンＲを搬送しながら処理テープＴ上に、生成された印刷データに基づいて、印刷ヘッド４１により印刷を行う。切断部６４は、処理テープＴを切断するフルカッタ３４及びこれを駆動するフルカッタモータ３５からなるカッタユニット３３を有し、印刷部６３で印刷処理済みの処理テープＴを所定の長さとなるように切断し、ラベルを作成する。駆動部６５は、ディスプレイドライバ６６、ヘッドドライバ６７、印刷送りモータドライバ６８およびカッタモータドライバ６９を有し、各部を駆動する。
【００３１】
制御部６０は、ＣＰＵ（Ｃｅｎｔｒａｌ  Ｐｒｏｃｅｓｓｉｎｇ  Ｕｎｉｔ）７１と、ＣＰＵ７１で各種制御処理を行うための制御プログラムを有するＲＯＭ（Ｒｅａｄ  Ｏｎｌｙ  Ｍｅｍｏｒｙ）７２と、各種制御処理の作業領域となるＲＡＭ（Ｒａｎｄｏｍ  Ａｃｃｅｓｓ  Ｍｅｍｏｒｙ）７３と、テープ印刷装置１の各部と入力データや制御信号の入出力を行う入出力制御装置（以下、「ＩＯＣ：Ｉｎｐｕｔ  Ｏｕｔｐｕｔ  Ｃｏｎｔｒｏｌｌｅｒ」と称する）７４と、を備え、これらは互いに内部バス７５により接続されている。
【００３２】
ＲＯＭ７２内には、入力された確定文字列を印刷レイアウトとしてディスプレイ２４のレイアウト表示領域２４ｂに表示するレイアウト表示プログラム７２ｂと、仮名漢字、ローマ字、数字、絵文字等の複数の予測変換候補および繋がり予測候補が登録された予測変換辞書７２ａと、キーボード１７により入力された未確定文字列８２に基づいて、予測変換辞書７２ａの中から１以上の予測変換候補を抽出する予測変換候補抽出プログラム７２ｃと、抽出された１以上の予測変換候補をディスプレイ２４のレイアウト表示領域２４ｂに表示する予測変換候補表示プログラム７２ｄと、未確定文字列の確定をトリガとして、予測変換辞書７２ａの中から１以上の繋がり予測候補を抽出する繋がり予測候補抽出プログラム７２ｅと、抽出された１以上の繋がり予測候補をディスプレイ２４のレイアウト表示領域２４ｂに表示する繋がり予測候補表示プログラム７２ｆと、が記憶されている。また、ＲＯＭ７２内には、レイアウト表示領域２４ｂにおいて表示された予測変換候補と、確定文字列を表示する印刷レイアウト表示と、を切替える表示取消プログラム７２ｇが記憶されている。
【００３３】
すなわち、ＲＯＭ７２内には、ディスプレイ２４のレイアウト表示領域２４ｂに印刷レイアウトを表示すべく、表示切替キー１５ｆの操作をトリガとして、レイアウト表示領域２４ｂの予測変換候補および繋がり予測候補の表示を一旦取り消す、すなわち、予測変換候補表示プログラム７２ｄおよび繋がり予測候補表示プログラム７２ｆの実行を一旦中止させる表示取消プログラム７２ｇが記憶されている。
【００３４】
そして、ＣＰＵ７１は、上記の構成により、ＲＯＭ７２内の各種制御プログラムに従って、ＩＯＣ７４を介してテープ印刷装置１内の各部から各種信号・データを入力する。また、入力された各種信号・データに基づいてＲＡＭ７３内の各種データを処理し、ＩＯＣ７４を介してテープ印刷装置１の各部に各種信号・データを出力することにより、入力・編集処理や印刷切断処理の制御を行う。
【００３５】
具体的には、ＣＰＵ７１は、入力・編集中において、文字入力キー１３により未確定文字列が入力されると、ディスプレイ２４の入力編集領域２４ａに未確定文字列を表示させると共に、ＲＯＭ７２内の予測変換候補抽出プログラム７２ｃおよび予測変換候補表示プログラム７２ｄに従い、入力された未確定文字列から予測される複数の予測変換候補を、レイアウト表示領域２４ｂに表示する（予測変換候補表示手段）。また、ＣＰＵ７１は、ＲＯＭ７２内の繋がり予測候補抽出プログラム７２ｅおよび繋がり予測候補表示プログラム７２ｆに従い、確定文字列に繋がり得る複数の繋がり予測候補を、レイアウト表示領域２４ｂに表示する（繋がり予測候補表示手段）。更に、ＣＰＵ７１は、確定キー１５ｃが押され、未確定文字列が確定されると、入力編集領域２４ａに確定した文字等を表示すると共に、レイアウト表示プログラム７２ｂに従い、レイアウト表示領域２４ｂに、確定した確定文字列を印刷レイアウトとして表示する（レイアウト表示手段）。また、ＣＰＵ７１は、表示切替キー１５ｆが押されると、表示取消プログラム７２ｇに従い、レイアウト表示領域２４ｂに表示された予測変換候補および繋がり予測候補の表示を取り消し、レイアウト表示領域２４ｂに印刷レイアウトを表示させる（表示切替手段）。
【００３６】
次に、図５のディスプレイ２４の表示遷移図を参照して、入力した未確定文字列を確定文字列として確定する一連の操作について説明する。なお、以下の入力編集例では、図７（ａ）に示すラベル「愛」８９を作成するものとして説明を行う。
【００３７】
ユーザーにより、テープ印刷装置１の電源がＯＮされると、ディスプレイ２４には、デフォルト画面となる入力・編集画面が表示される（図５（ａ）参照) 。
ユーザーが、文字入力キー１３を操作して、文字「あ」を入力すると、入力編集領域２４ａには、未確定文字「あ」（ローマ字入力にあっては「Ａ」）８６が表示されると共に、レイアウト表示領域２４ｂに、未確定文字「あ」８６から予測される複数の予測変換候補８５が表示される（図５（ｂ）参照）。ここで、入力文字「あ」８６を誤入力した場合、削除キー１５ｄを押して入力文字「あ」８６を削除すると、ディスプレイ２４は、図５（ａ）に示す初期状態に戻る。また、入力文字等から予想される予測変換候補８５がない場合、入力編集領域２４ａには、未確定文字「あ」が表示されるが、レイアウト表示領域２４ｂは、初期状態のままである（図５（ｈ）参照）。
【００３８】
次に、図５（ｂ）の状態において、ユーザーは、上下キー１５ｂを操作して、複数の予測変換候補８５から所望の予測変換候補を選択し、確定キー１５ｃにより、選択した予測変換候補８３を確定文字列として確定する（図５（ｃ）、（ｄ）参照）。このとき、レイアウト表示領域２４ｂの左側には、予測変換候補数が表示されており、本実施形態では、３０個の予測変換候補８５があることが示されている。なお、選択中の予測変換候補は網掛け表示されている（例えば、図５（ｃ）に示す予測変換候補「相手」８７）。
【００３９】
本実施形態において、ユーザーが、３０個の予測変換候補の選択肢から２番目に表示される予測変換候補「愛」８８を選択し、確定キー１５ｃを操作すると、ＣＰＵ７１は、入力編集領域２４ａに、選択した予測変換候補である「愛」８８を確定文字列として表示すると共に、レイアウト表示領域２４ｂに確定文字列である「愛」８８のレイアウトを表示する（図５（ｅ）参照）。この後、入力編集処理を続ける場合には、上記同様の処理を繰り返す。一方、確定文字列を印刷する場合には、印刷キー１５ｅを押すことで、印刷処理が実行された後、切断処理が実行されて、ラベル８９が生成される。
【００４０】
なお、予測変換候補「愛」８８の未確定状態（図５（ｂ）、（ｃ）、（ｄ）の状態）において、所定のキー操作を行うことにより未確定文字列８２を消去することが可能となっている。具体的には、機能キー１５であるシフトキーおよび削除キー１５ｄを同時押しすると、消去画面９０が表示されると共に、全文消去９１および段落消去９２のいずれかの消去方法を選択することにより、文章の消去を行うことができる（図５（ｆ）参照）。一方、消去画面９０を表示させた状態で、削除キー１５ｄを操作すると、図５（ｂ）の状態に戻すことができる。また、機能キー１５には、一つ前の処理画面に戻す復活キー（図示省略）が設けられており、例えば、図５（ｅ）の状態において、復活キーを押すと、図５（ｇ）に示すように、予測変換候補が表示され、予測変換候補が未選択の状態の画面に戻すことができる。
【００４１】
ここで、図５（ｂ）、（ｃ）、（ｄ）に示したディスプレイ２４の表示状態において、表示切替キー１５ｆを押すと、レイアウト表示領域２４ｂにおける複数の予測変換候補の表示が取り消され、レイアウト表示領域２４ｂには、印刷レイアウトが表示される（図５（ｈ）参照）。また、この状態から再度、表示切替キー１５ｆを押すと、予測変換候補の表示が取り消されているため、図５（ｂ）の状態に戻る。このように、簡単なキー操作により予測変換候補の表示を取り消すことで、予測変換候補の表示と印刷レイアウトの表示とが切り替わり、ユーザの負担を軽減することができる。
【００４２】
ところで、図５（ｂ）、（ｃ）、（ｄ）に示したディスプレイ２４の表示状態から表示切替キー１５ｆが押されると、いずれも確定文字列が存在しないため、レイアウト表示領域２４ｂは初期状態となる（図５（ｈ））。しかし、図８に示すように、図８（ｃ）および（ｄ）の状態から表示切替キー１５ｆが押された場合、未確定文字列を仮確定として、その仮確定文字列をレイアウト表示領域２４ｂに表示するようにしてもよい（図８（ｈ−２）、（ｈ−３）参照）。
【００４３】
次に、図６を参照して、繋がり予測候補の表示から印刷レイアウトの表示に切り替える一連の操作について説明する。以下の入力編集例では、図７(ｂ)に示すラベル「青色の」９３を作成するものとして説明を行う。
【００４４】
入力文字「あ」の未確定文字が表示されている状態（図５（ｂ）、（ｃ）、（ｄ）の状態）で、入力文字「あ」の後に文字「お」を入力すると、ＣＰＵ７１は、入力編集領域２４ａに入力された入力文字「あお」（ローマ字入力にあっては「ＡＯ」）９４を表示すると共に、レイアウト表示領域２４ｂに、入力文字「あお」から予測される複数の予測変換候補８５を表示する（図６（ｊ）参照）。
【００４５】
次に、ユーザーは、上下キー１５ｂを操作して、複数の予測変換候補８５から所望の変換候補（ここでは、「青色」）を選択し（図６（ｋ）、（ｌ）参照）、確定キー１５ｃを操作して、選択した予測変換候補８５を確定文字列８３として確定する。すると、レイアウト表示領域２４ｂには、確定文字列「青色」に繋がり得る複数の繋がり予測候補が表示される（図６（ｍ）参照）。この後、ユーザーは、上下キー１５ｂを操作して、複数の繋がり予測候補８４から所望の繋がり予測候補（ここでは、「の」）を選択し（図６（ｎ）参照）、確定キー１５ｃを操作して、選択した繋がり予測候補８４を確定文字列８３として確定する。このとき、確定文字列８３「の」に繋がり得る繋がり予測候補８４がある場合は、上記処理を同様に行う一方、繋がり予測候補８４がない場合は、レイアウト表示領域２４ｂに印刷レイアウトが表示される（図６（ｏ）参照）。
【００４６】
ここで、図６（ｍ）、（ｎ）に示したディスプレイ２４の表示状態において、表示切替キー１５ｆを押すと、レイアウト表示領域２４ｂにおける複数の繋がり予測候補８４の表示が取り消され、レイアウト表示領域２４ｂには、印刷レイアウトが表示される（図６（ｐ）参照）。
【００４７】
以上のように、本実施形態に係るテープ印刷装置１によれば、ディスプレイ２４のレイアウト表示領域２４ｂに予測変換候補８５および繋がり予測候補８４が表示されたとしても、表示切替キー１５ｆを押下することにより、簡単な操作で、印刷レイアウトを表示することができる。なお、本実施形態では、予測変換候補８５（繋がり予測候補８４）の表示を取り消して印刷レイアウトを表示するよう構成したが、単に予測変換候補８５（繋がり予測候補８４）の表示から印刷レイアウトの表示に切り替える構成（図８に破線で表示）でも良い。このとき、印刷レイアウトの表示から予測変換候補８５（繋がり予測候補８４）の表示に切り替えるよう構成し、相互に切替え可能にしても良い。
【図面の簡単な説明】
【００４８】
【図１】本発明の実施形態に係るテープ印刷装置の開蓋状態における外観斜視図である。
【図２】本実施形態に係るテープ印刷装置の開蓋状態における外観斜視図である。
【図３】ディスプレイの構成を示す模式図である。
【図４】テープ印刷装置の制御ブロック図である。
【図５】予測変換候補から印刷レイアウトに表示切替えをする一連の操作に関するディスプレイの表示遷移図である。
【図６】繋がり予測候補から印刷レイアウトに表示切替えをする一連の操作に関するディスプレイの表示遷移図である。
【図７】作成されたラベルの模式図である。
【図８】表示切替えの変形例におけるディスプレイの表示遷移図である。
【符号の説明】
【００４９】
１…テープ印刷装置１  １５ｆ…表示切替キー  ２４ａ…入力編集領域  ２４ｂ…レイアウト表示領域  ７１…ＣＰＵ  ７２…ＲＯＭ  ７２ａ…予測変換辞書  ７２ｂ…レイアウト表示プログラム７２ｂ  ７２ｃ…予測変換候補抽出プログラム  ７２ｄ…予測変換候補表示プログラム  ７２ｅ…繋がり予測候補抽出プログラム  ７２ｆ…繋がり予測候補表示プログラム  ７２ｇ…表示取消プログラム  ７３…ＲＡＭ  ７４…ＩＯＣ  ７５…内部バス  ８２…未確定文字列  ８３…確定文字列  ８４…繋がり予測候補  ８５…予測変換候補
【図１】
0005411413.tif 000002
【図２】
0005411413.tif 000003
【図３】
0005411413.tif 000004
【図４】
0005411413.tif 000005
【図５】
0005411413.tif 000006
【図６】
0005411413.tif 000007
【図７】
0005411413.tif 000008
【図８】
0005411413.tif 000009